(57)【要約】      （修正有）【課題】従来のスイッチ付きテーブルタップと比較してスペース効率に優れ、かつスイッチの視認性および操作性に優れる電源中継用ユニットを提供する。【解決手段】コンセントに対応するプラグ２１を備えた電源コード１４と、電源コードから給電される複数のプラグ受けと、複数のプラグ受けへの通電および遮電を個別に制御する複数のスイッチ１８と、ネームプレート２２と、スイッチおよびネームプレートを正面に配備し、プラグ受けを背面に配備するユニットボックス１２を備える。また、電源コードから延長コード２４を介して給電されるタップ１６をユニットボックスと着脱可能に備える。ユニットボックスを部屋の壁側に背面を向けるように設置すれば、電気製品の電源コードやプラグを人目につかないように隠すことができ、スイッチが部屋の居住空間側を向いているため、視認性も良好であり、操作性も阻害されない。【選択図】図２
0003187141.tif 000002
【実用新案登録請求の範囲】
【請求項１】
コンセントに対応するプラグを備えた電源コードと、
前記電源コードから給電される複数のプラグ受けと、
前記複数のプラグ受けへの通電および遮電を個別に制御する複数のスイッチと、
前記スイッチを正面に配備し、前記プラグ受けを背面に配備するユニットボックスを備えることを特徴とする、
電源中継ユニット。
【請求項２】
前記電源コードから延長コードを介して給電されるタップを前記ユニットボックスと着脱可能に備えることを特徴とする、
請求項２に記載の電源中継ユニット。
【考案の詳細な説明】
【技術分野】
【０００１】
本考案は、電気製品の電源プラグと家庭用コンセントとを延長コードを用いて接続するための装置に関する。
【背景技術】
【０００２】
家屋の壁面等に埋め込まれた家庭用コンセントに家電品等の電源プラグを接続するときに延長コードを用いる機会は非常に多い。延長コードには、プラグの差込口の口数が一つだけあり、単にコードを延長させるだけのものもあるが、口数が複数あるテーブルタップタイプのものが便利であり、実際にも広く用いられている。
【０００３】
テーブルタップタイプのものには口数の分だけＯＮ／ＯＦＦスイッチが付属しており、家電品やＯＡ機器の使用機会に応じて通電および遮電を個別に制御できるように設計されたものもある。例えば、特許文献１に開示されたものはいわゆるＯＡタップと呼ばれるテーブルタップであり、これにディスプレイやコンピュータ、外付けドライブ、プリンタ等のＯＡ機器を接続する。
【先行技術文献】
【特許文献】
【０００４】
【特許文献１】特願２０１１−１８７４２９号公報
【考案の概要】
【考案が解決しようとする課題】
【０００５】
このようにスイッチ付きテーブルタップは省エネ性と安全性の両面から利便性の高い製品として認識されている。しかしながら特許文献１に開示されているような製品の場合、プラグの差込口とスイッチが同じ面（上面）に設けられているため、スイッチの周囲にプラグやアダプター、コード類が密集し、スイッチの視認性および操作性があまり良くない。またスイッチが上面に位置するため、ＯＮ／ＯＦＦの確認の際に上から覗き込むための空間が必要であり、さらにはスイッチ操作の際に手を入れて動かすための空間が必要となる。
【０００６】
本考案は、従来のスイッチ付きテーブルタップと比較してスペース効率に優れ、かつスイッチの視認性および操作性に優れる電源中継用ユニットを提供することを目的とする。
【課題を解決するための手段】
【０００７】
本考案の第１の態様は、コンセントに対応するプラグを備えた電源コードと、前記電源コードから給電される複数のプラグ受けと、前記複数のプラグ受けへの通電および遮電を個別に制御する複数のスイッチと、前記スイッチを正面に配備し、前記プラグ受けを背面に配備するユニットボックスを備えることを特徴とする電源中継ユニットである。
【０００８】
本考案の第２の態様は、第１の態様の構成に加えて、前記電源コードから延長コードを介して給電されるタップを前記ユニットボックスと着脱可能に備えることを特徴とする電源中継ユニットである。
【考案の効果】
【０００９】
本考案の第１の態様の電源中継ユニットは、従来は同一面に配備されていたスイッチとプラグ受けをそれぞれ反対側の面となる正面と背面に配備しているので、部屋の内側の居住空間側にスイッチのある正面を向けて配置することにより、電気製品等の電源コード類を壁側となる背面に隠すことができる。
【００１０】
本考案の第２の態様の電源中継ユニットは、ユニットボックスから離れた場所にある電気製品に対しても延長コード付きのタップによって給電することができる。
【図面の簡単な説明】
【００１１】
【図１】電源中継用ユニットを正面側からみた外観図
【図２】電源中継用ユニットを正面側からみた外観図
【図３】電源中継用ユニットを背面側からみた外観図
【図４】電源中継用ユニットの電気回路図
【考案を実施するための形態】
【００１２】
電源中継用ユニット１０は、図１に示すように、ユニットボックス１２、電源コード１４、セパレートタップ１６によって構成されている。ユニットボックス１２は、立方体もしくはそれに近似した形状の中空の筐体であり、正面にはスイッチ１８が設けられ、背面には差込口２０が設けられている。差込口２０はＪＩＳ規格に適合する市販のプラグ受けをユニットボックス１２の壁面に埋め込むことにより形成されている。差込口２０の個数や配列には特段の限定はないが、ここではユニットボックス１２の大きさおよび形状に合わせて６個の差込口２０が縦３列、横２列で設けられている。電源コード１４の先にはＪＩＳ規格に適合するプラグ２１が取り付けられており、家庭用コンセントから電源の供給を受けることができる。
【００１３】
スイッチ１８は市販のスイッチをユニットボックス１２の壁面に埋め込むことにより形成されている。スイッチ１８は差込口２０への通電状態の切り替えを行うための装置であるため、１極単投型のものが好適である。ここではパイロットランプ付きのロッカースイッチを用いているが、一度の操作で差込口２０に対する通電または遮電の切り替えが可能なスイッチ、例えばトグルスイッチやプッシュスイッチ、スライドスイッチ等を用いることも可能である。スイッチ１８についても差込口２０と同様に個数や配列に特段の限定はないが、ここでは差込口２０の個数に合わせて６個のスイッチ１８が縦１列で設けられている。各スイッチ１８はそれぞれ対応する差込口２０への通電または遮電を個別に制御できるように設計されている。各スイッチ１８の横にはネームプレート２２が設けられている。各ネームプレート２２には、隣り合うスイッチ１８と対応する差込口２０に接続された電気製品、例えばテレビやラジオ、電子レンジ、電気ポット等の名称を記載する。
【００１４】
ユニットボックス１２の正面にはスイッチ１８の他にセパレートタップ１６も設けられている。セパレートタップ１６は延長コード２４を介してユニットボックス１２と電気的に接続されている一種のテーブルタップである。セパレートタップ１６はユニットボックス１２の正面に設けられた凹み２６に正面がフラットな状態になるように収納することができる。凹み２６に収納されたセパレートタップ１６を取り出しやすくするためにセパレートタップ１６の左右の両側面には指先を掛けるための凹み２８が設けられている。
【００１５】
図２はユニットボックス１２からセパレートタップ１６を取り出したときの状態を示している。セパレートタップ１６の先端面に差込口３０が設けられている。延長コード２６はユニットボックス１２の内部に設けられた自動巻き取りリールに巻き回された状態で収納されており、延ばした延長コード２６は、ユニットボックス１２の上面の巻き取りボタン３２を押すと自動的に巻き取られ、ユニットボックス１２の内部に収納される。
【００１６】
ユニットボックス１２の内部の電気回路については図４を参照しながら説明する。電源コード１４はユニットボックス１２の内部で７本の結線４０ａ、４０ｂ、４０ｃ、４０ｄ、４０ｅ、４０ｆ、４０ｇに分岐し、それぞれ差込口２０ａ、２０ｂ、２０ｃ、２０ｄ、２０ｅ、２０ｆおよび延長コード２４と接続されている。結線４０ａ、４０ｂ、４０ｃ、４０ｄ、４０ｅ、４０ｆにはそれぞれスイッチ１８ａ、１８ｂ、１８ｃ、１８ｄ、１８ｅ、１８ｆが接続されている。各スイッチ１８ａ、１８ｂ、１８ｃ、１８ｄ、１８ｅ、１８ｆにはそれぞれパイロットランプ４２ａ、４２ｂ、４２ｃ、４２ｄ、４２ｅ、４２ｆが内蔵されている。スイッチ１８ａ、１８ｂ、１８ｃ、１８ｄ、１８ｅ、１８ｆがＯＮとなって差込口２０ａ、２０ｂ、２０ｃ、２０ｄ、２０ｅ、２０ｆに通電されているときに点灯するように設計されている。プラグ２１を家庭用コンセントに接続すれば各差込口２０、３０に電源が供給される。
【００１７】
ユニットボックス１２は部屋の壁側に背面を向けるように設置すれば、電気製品の電源コードやプラグを人目につかないように隠すことができる。その場合、スイッチ１８のある正面が部屋の居住空間側を向いているため、スイッチ１８およびネームプレート２２の視認性も良好であり、スイッチ１８の操作性も全く阻害されない。給電中はスイッチ１８が点灯しているため、電気製品を使用していないときに無駄な待機電力が発生していることを容易に知ることができる。この場合、スイッチ１８をＯＦＦに切り換えるだけで簡単に待機電力をゼロにすることができる。
【００１８】
従来のこの種の製品、例えばテーブルタップやＯＡタップ等の場合、箪笥や食器棚の裏側や机の下のような人目につかないところに設置されていることが多く、一度プラグを接続するとその後に抜き差ししたりスイッチを切り換えたりするのは簡単に行えるものではなかった。これに対して電源中継用ユニット１０であれば、ユニットボックス１２を箪笥や食器棚等の上や中など容易に人目のつくところに設置しても電源コード類が背面側に隠されるため、煩雑な印象を与えることがない。またこのような場所に設置することで電源中継用ユニット１０を目にする機会も多くなるため、自ずと待機電力に関して意識するようになり、省エネ効果も期待できるようになる。
【符号の説明】
【００１９】
１０  電源中継ユニット
１２  ユニットボックス
１４  電源コード
１６  セパレートタップ
１８  スイッチ
２０  差込口
２１  プラグ
２２  ネームプレート
２４  延長コード
３０  差込口
３２  巻き取りボタン
４２  パイロットランプ
【図１】
0003187141.tif 000003
【図２】
0003187141.tif 000004
【図３】
0003187141.tif 000005
【図４】
0003187141.tif 000006
【手続補正書】
【提出日】平成25年9月9日(2013.9.9)
【手続補正１】
【補正対象書類名】実用新案登録請求の範囲
【補正対象項目名】全文
【補正方法】変更
【補正の内容】
【実用新案登録請求の範囲】
【請求項１】
コンセントに対応するプラグを備えた電源コードと、
前記電源コードから給電される複数のプラグ受けと、
前記複数のプラグ受けへの通電および遮電を個別に制御する複数のスイッチと、
前記スイッチを正面に配備し、前記プラグ受けを背面に配備するユニットボックスを備えることを特徴とする、
電源中継ユニット。
【請求項２】
前記電源コードから延長コードを介して給電されるタップを前記ユニットボックスと着脱可能に備えることを特徴とする、
請求項１に記載の電源中継ユニット。